(57)【要約】【課題】未知のピークがカルボン酸のピークであるかどうか、カルボン酸である場合には、１分子中にいくつのカルボキシル基が含まれているか、カルボン酸の構造は具体的にどのようなものであるか等の判定が容易にできる技術を提供する。【解決手段】移動相用水性液体と移動相用有機液体とを使用するグラジエント分析法による分配クロマトグラフィを利用し、第１のｐＨ領域にｐＨ調節してなる第１の移動相用水性液体を使用した場合の当該液のサンプルのクロマトグラムのリテンションタイムと、第１のｐＨ領域より酸性側の第２のｐＨ領域にｐＨ調節してなる第２の移動相用水性液体を使用した場合の当該液のサンプルのクロマトグラムのリテンションタイムとを比較する。【選択図】　なし【特許請求の範囲】
【請求項１】
液中のカルボン酸の判定方法において、
移動相用水性液体と移動相用有機液体とを使用するグラジエント分析法による分配クロマトグラフィを利用し、
第１のｐＨ領域にｐＨ調節してなる第１の移動相用水性液体を使用した場合の当該液のサンプルのクロマトグラムのリテンションタイムと、第１のｐＨ領域より酸性側の第２のｐＨ領域にｐＨ調節してなる第２の移動相用水性液体を使用した場合の当該液のサンプルのクロマトグラムのリテンションタイムとを比較することを含むカルボン酸の判定方法。
【請求項２】
前記第１の移動相用水性液体と前記第２の移動相用水性液体とが、ともにジ−ｎ−ブチルアンモニウムアセテートを含有する水溶液である、請求項１に記載のカルボン酸の判定方法。
【請求項３】
第１のｐＨ領域がｐＨ７〜８の範囲にあり、第２のｐＨ領域がｐＨ３〜４の範囲にある、請求項１または２に記載のカルボン酸の判定方法。
【請求項４】
前記第１の移動相用水性液体を使用した場合のクロマトグラムのリテンションタイムの方が前記第２の移動相用水性液体を使用した場合のクロマトグラムのリテンションタイムより短くなるピークをモノカルボン酸のピーク、長くなるピークをジカルボン酸のピークと判定する、請求項３に記載のカルボン酸の判定方法。
【請求項５】
水を加えることによりｐＨ３〜４のｐＨ領域を有する分配クロマトグラフィの移動相用液体を調製することができる、ジ−ｎ−ブチルアンモニウムアセテートと酢酸とを含有する水溶液よりなる分配クロマトグラフィの移動相用液体。
【発明の詳細な説明】
【０００１】
【発明の属する技術分野】
本発明は、カルボン酸を含有する液体の分析法に関するものである。
【０００２】
【従来の技術】
有機酸の分析方法としては、イオンクロマトグラフィが代表的であるが、この方法は、その同定手段がリテンションタイムだけのため、経験のない未知ピークが検出されたとき等の成分同定は困難である。
【０００３】
【発明が解決しようとする課題】
本発明は、未知のカルボン酸を含有する液体の分析を容易にする方法を提供することを目的とする。
【０００４】
本発明のさらに他の目的および利点は、以下の説明から明らかになるであろう。
【０００５】
【課題を解決するための手段】
本発明の１態様によれば、液中のカルボン酸の判定方法において、移動相用水性液体と移動相用有機液体とを使用するグラジエント分析法による分配クロマトグラフィを利用し、第１のｐＨ領域にｐＨ調節してなる第１の移動相用水性液体を使用した場合の当該液のサンプルのクロマトグラムのリテンションタイムと、第１のｐＨ領域より酸性側の第２のｐＨ領域にｐＨ調節してなる第２の移動相用水性液体を使用した場合の当該液のサンプルのクロマトグラムのリテンションタイムとを比較することを含むカルボン酸の判定方法が提供される。
【０００６】
本発明により、未知のピークがカルボン酸のピークであるかどうか、カルボン酸である場合には、１分子中にいくつのカルボキシル基が含まれているか、カルボン酸の構造は具体的にどのようなものであるか等の判定が容易にできるようになる。
【０００７】
第１の移動相用水性液体と第２の移動相用水性液体とが、ともにジ−ｎ−ブチルアンモニウムアセテートを含有する水溶液であることや第１のｐＨ領域がｐＨ７〜８の範囲にあり、第２のｐＨ領域がｐＨ３〜４の範囲にあることが好ましい。ｐＨを変えた場合のリテンションタイムの差が明確に出るからである。
【０００８】
また、第１の移動相用水性液体を使用した場合のクロマトグラムのリテンションタイムの方が第２の移動相用水性液体を使用した場合のクロマトグラムのリテンションタイムより短くなるピークをモノカルボン酸のピーク、長くなるピークをジカルボン酸のピークと判定することが有用である。特にｐＨ７以下の場合、このような挙動を示すため、カルボン酸の判定を迅速に進めるのに有用であるからである。
【０００９】
本発明の他の１態様によれば、水を加えることによりｐＨ３〜４のｐＨ領域を有する分配クロマトグラフィの移動相用液体を調製することができる、ジ−ｎ−ブチルアンモニウムアセテートと酢酸とを含有する水溶液よりなる分配クロマトグラフィの移動相用液体が提供される。この液体を使用すると、本発明に係る分析を行うためのｐＨの異なる分配クロマトグラフィの移動相用液体を迅速かつ容易に作製することができる。
【００１０】
なお、以下に説明する発明の実施の形態や図面の中で、本発明の更なる特徴が明らかにされる。
【００１１】
【発明の実施の形態】
以下に、本発明の実施の形態を図、表、実施例等を使用して説明する。なお、これらの図、表、実施例等および説明は本発明を例示するものであり、本発明の範囲を制限するものではない。本発明の趣旨に合致する限り他の実施の形態も本発明の範疇に属し得ることは言うまでもない。
【００１２】
液体クロマトグラフィ（ＬＣ）と質量分析法（ＭＳ）との組み合わせで有機酸を分析する方法を検討した。その結果、液体クロマトグラフィでは、移動相として２．５ｍＭ（ミリモル）／Ｌのジ−ｎ−ブチルアンモニウムアセテート（ｄｉ−ｎ−ｂｕｔｙｌａｍｍｏｎｉｕｍ　ａｃｅｔａｔｅ、以下ＤＢＡＡと略称する）を含有する水溶液を使用すれば液中のカルボン酸を種々の分離したピークとして検出できることが判明した。
【００１３】
測定はたとえば、この２．５ｍＭ／ＬのＤＢＡＡ水溶液とメタノールのグラジエント分析で、分析カラムとして、ＯＤＳ（オクタデシル基結合シリカゲル）カラムを用いて実施できる。
【００１４】
このようにすると、質量分析装置に接続して質量数の情報を得ることも可能である。しかしながら、一般的な四重極分析計や低分解能測定では、質量数の情報は得ることができるが、組成式の決定やカルボン酸の数の決定はできない。従って、未知のピークについてはカルボン酸の判定が困難である。
【００１５】
なお、本発明において、「カルボン酸の判定」とは、カルボン酸が存在しているかどうか、言い換えれば未知のピークがカルボン酸のピークであるかどうか、カルボン酸である場合には、１分子中にいくつのカルボキシル基が含まれているか、カルボン酸の構造は具体的にどのようなものであるかを判定することを意味する。一旦判定ができれば、ピーク面積等を測定することにより定量することも容易にできることは言うまでもない。
【００１６】
種々のサンプルについて検討した結果、分配クロマトグラフィを使用し、第１のｐＨ領域にｐＨ調節してなる第１の移動相用水性液体を使用した場合のサンプルのクロマトグラムのリテンションタイムと、第１のｐＨ領域より酸性側の第２のｐＨ領域にｐＨ調節してなる第２の移動相用水性液体を使用した場合のサンプルのクロマトグラムのリテンションタイムとを比較すると、カルボン酸に起因するピークについては大きく異なる場合が多く、カルボン酸の判定に有用であることが判明した。
【００１７】
すなわち、このようなデータを集積すれば、どのカルボン酸がリテンションタイムに関しどのような挙動を示すかを把握することができ、問題とするカルボン酸が存在するか否か、どのようなカルボン酸が存在するのかと言った問題に対し、迅速な判定が可能となるのである。特に、上記二つのリテンションタイムに該当する分取サンプルを質量分析すれば、分子の構成に関する情報が入手できるため、カルボン酸の判定がより迅速に可能となる。
【００１８】
サンプルがモノカルボン酸とジカルボン酸との内の少なくともいずれかを含むと、リテンションタイムの変化が大きいようである。しかも、ｐＨ７以下のとき、モノカルボン酸は、第１のｐＨ領域にｐＨ調節した移動相用水性液体を使用して測定したクロマトグラムのリテンションタイムの方が、第２のｐＨ領域にｐＨ調節した移動相用水性液体を使用して測定したクロマトグラムのリテンションタイムより短くなる傾向が多く、ジカルボン酸は、その逆に、長くなるものが多い。
【００１９】
従って、本発明をモノカルボン酸とジカルボン酸との内の少なくともいずれかを含むサンプルについて適用することは有用性が高い。
【００２０】
また、上記第１の移動相用水性液体を使用した場合のクロマトグラムのリテンションタイムの方が上記第２の移動相用水性液体を使用した場合のクロマトグラムのリテンションタイムより短くなるピークをモノカルボン酸のピーク、長くなるピークをジカルボン酸のピークと判定することも、カルボン酸の判定方法として有用性が大きい。このような判定は絶対的なものとはいえないが、かなりの信頼を与えるものであり、他の多くの分析手段と合わせて使用すれば、迅速なカルボン酸の判定が可能となるからである。
【００２１】
第１のｐＨ領域と第２のｐＨ領域とは、判定の対象とするカルボン酸の種類に応じて適宜定めることが可能である。また、この第１のｐＨ領域と第２のｐＨ領域との組み合わせは幾通り併用してもよい。たとえば第１のｐＨ領域と第２のｐＨ領域とを二組持ち、その両者の「第１のｐＨ領域」が同一の領域であれば、第１のｐＨ領域と第２のｐＨ領域と第３のｐＨ領域とを有することになる。つまり、３種類の移動相用水性液体を使用することになる。本発明はそのような場合も包含する。
【００２２】
第１のｐＨ領域がｐＨ７〜８の範囲にあり、第２のｐＨ領域がｐＨ３〜４の範囲にある場合にリテンションタイムの変化がより明確になるため好ましい場合が多い。第１のｐＨ領域がいわゆる中性であり、第２のｐＨ領域が３．５近辺であることが好ましい。より具体的に言えば第１のｐＨ領域が７〜７．２の範囲にあり、第２のｐＨ領域が３．５±０．１の範囲にあることが好ましい。
【００２３】
このような第１の移動相用水性液体と第２の移動相用水性液体としては、本発明の趣旨に反しない限りどのようなものからでも適宜選択することができるが、ともにＤＢＡＡを含有する水溶液であることが好ましい。安定したｐＨ領域が確保でき、上記リテンションタイムの再現性も優れているからである。
【００２４】
ＤＢＡＡを含有する水溶液のｐＨを低下させるには、揮発性の酸、例えば低分子量のカルボン酸を使用することが有用である。なかでも酢酸が好ましい。ＤＢＡＡ組成の中に含まれており、また、揮散しやすく、安全性も高いからである。
【００２５】
このようなＤＢＡＡ水溶液やｐＨを低下させたＤＢＡＡ水溶液は、所定濃度のカルボン酸を加えたあるいは加えないＤＢＡＡ水溶液を準備しておき、必要に応じて、そのまままたは適宜純水で希釈して作製することができる。たとえば、所定濃度のカルボン酸を加え、ｐＨ３〜４の範囲より低いｐＨのＤＢＡＡ水溶液を作製しておけば、これを水で希釈するだけでｐＨ３〜４の範囲の移動相用水性液体を得ることが可能である。この意味で、水を加えることによりｐＨ３〜４のｐＨ領域を有する分配クロマトグラフィの移動相用液体を調製することができる、このＤＢＡＡとｐＨ調整剤としてのカルボン酸とを含有する水溶液よりなる分配クロマトグラフィの移動相用液体は、有用性が大きい。一方、ｐＨ領域が７〜７．２の範囲にある移動相用水性液体は、ｐＨ調整剤を加えないＤＢＡＡ水溶液を水で希釈するだけで得ることも可能である。
【００２６】
液体クロマトグラフィとしては、上記移動相用水性液体を使用してグラジエント分析する方法が好ましい。この場合のもう一つの移動相用液体としては、グラジエント分析に使用できる、メタノール、アセトニトリル等の公知の移動相用有機液体から適宜選択することができる。移動相用有機液体としてはメタノールが特に好ましい。
【００２７】
グラジエント分析する場合、移動相における移動相用水性液体と移動相用有機液体との供給比率を、液のサンプル注入以前の移動相については、体積比で８５〜９５：１５〜５とし、液のサンプル注入以後の移動相については、所定のタイミングで、移動相用有機液体の供給比率を１００％まで徐々に上げていくようにすると、検出ピークの分離性能が高く好ましい。この所定のタイミングは、検出ピークのリテンションタイム、形状等を見て、適宜定めることができる。
【００２８】
液のサンプル注入以前の移動相については、体積比で８８〜９２：１２〜８とすることがより好ましい。
【００２９】
【実施例】
次に本発明の実施例および比較例を詳述する。なお、ＬＣ−ＭＳ分析には次の条件を採用した。
【００３０】
＜ＬＣ＞
・装置
Ａｇｉｌｅｎｔ社製１１００シリーズを使用した。
【００３１】
・カラム
ＯＤＳカラムを使用した。カラム温度は４０℃とした。
【００３２】
・移動相用液体流量
当初は、移動相用水性液体：メタノール＝９０：１０（体積比）で総流量は０．２ｍＬ／分とした。試料注入５分後から４０分かけて移動相用水性液体：メタノール＝０：１００（体積比）に変更した。
【００３３】
・試料注入量
既知の組成のカルボン酸については、その１０重量ｐｐｍ水溶液を、１０μＬ／回注入した。
【００３４】
・ピーク検出
ＵＶ２５４ｎｍにて検出した。
【００３５】
＜ＭＳ＞
日本電子社製ＬＣ−Ｍａｔｅを使用した。
【００３６】
［実施例１］（分配クロマトグラフィの移動相用液体としてのＤＢＡＡ水溶液および酢酸酸性ＤＢＡＡ水溶液の調製）
東京化成工業（株）製の０．５モル／ＬのＤＢＡＡ水溶液の２．５ｍＬを酢酸でｐＨ調整しつつ純水で希釈して、ｐＨ１．５の酢酸酸性ＤＢＡＡ水溶液５．０ｍＬを得た。
【００３７】
この水溶液を１００倍に薄めて、ｐＨ３．５の酢酸酸性ＤＢＡＡ水溶液５００ｍＬ（ＤＢＡＡとして２．５ｍＭ／Ｌ）を調製した。
【００３８】
また、このＤＢＡＡ水溶液の２．５ｍＬを、酢酸を添加せず、純水で５００ｍＬに希釈して、ｐＨ７の２．５ｍＭ／ＬのＤＢＡＡ水溶液を得た。
【００３９】
［実施例２］
実施例１のｐＨ３．５と７との移動相用水性液体を準備した。また、ＤＢＡＡ水溶液にアンモニアを加えて１０．３の移動相用水性液体を準備した。
【００４０】
つぎに、それぞれの移動相用水性液体とメタノールとを組み合わせ、ＬＣ−ＭＳ分析を行った。
【００４１】
分析の結果、図１に示すように、モノカルボン酸とジカルボン酸とを比較すると、その挙動が異なることが見出された。
【００４２】
測定に使用したカルボン酸の種類を表１に、測定結果を表２と図１とに示す。表２と図１とより、ｐＨ＝７以下の領域では、ある値にｐＨ調節してなる移動相用水性液体を使用した場合のクロマトグラムのリテンションタイムと、それとは異なる値にｐＨ調節してなる移動相用水性液体を使用した場合のクロマトグラムのリテンションタイムとを比較すると、カルボン酸の種類に応じて特徴的な変化を示すことが理解される。
【００４３】
従って、この変化のデータを蓄積すれば、カルボン酸の有無の判定やカルボン酸の種類が不明なときにその化学構造を定める場合に有用な情報が得られることになる。
【００４４】
また、表２の「１分子中のカルボン酸基数」と「リテンションタイム変化」の欄を見ると、モノカルボン酸の場合は、ギ酸とプロピオン酸等の若干の例外を除いてマイナスであり、ジカルボン酸の場合は全てプラスであることが理解できる。また１分子当たりの炭素数の観点から見ると、１分子当たりの炭素数が４以上の場合、すべてのカルボン酸で、モノカルボン酸はマイナスであり、ジカルボン酸はプラスであることが理解できる。
【００４５】
ここで、マイナスは、ｐＨ７のＤＢＡＡ水溶液を使用した場合のクロマトグラムのリテンションタイムの方がｐＨ３．５のＤＢＡＡ水溶液を使用した場合のクロマトグラムのリテンションタイムより短くなったことを、プラスはその逆を意味する。
【００４６】
すなわち、ｐＨ７のＤＢＡＡ水溶液を使用した場合のクロマトグラムのリテンションタイムの方がｐＨ３．５のＤＢＡＡ水溶液を使用した場合のクロマトグラムのリテンションタイムより短くなる場合はモノカルボン酸である可能性が高く、ｐＨ７のＤＢＡＡ水溶液を使用した場合のクロマトグラムのリテンションタイムの方がｐＨ３．５のＤＢＡＡ水溶液を使用した場合のクロマトグラムのリテンションタイムより長くなる場合はジカルボン酸である可能性が高いと推定することができる。
【００４７】
従って、この現象を利用し、モノカルボン酸とジカルボン酸との具体的構造の決定に利用することができる。また、対象成分について、含有するカルボン酸がモノカルボン酸かジカルボン酸かを推定することができる。
【００４８】
［実施例３］（プリント基板を純水で加熱抽出した液の分析例）
２．５インチハードディスク用のプリント基板を純水３０ｍＬ中に投入し、１２０℃に加熱して２０時間保持し、プリント基板を抽出処理した。
【００４９】
抽出液をイオンクロマトグラフィで分析した。その結果を図２に示す。リテンションタイム２６分にピークが検出されたが、この時間に検出される成分は不明であった。そこで、この成分について本発明に係る方法で構造決定を試みた。
【００５０】
まず、抽出液をイオンクロマトグラフ装置に注入し、リテンションタイム２６分のピークを分取した。この分取液について以下の分析を行った。
【００５１】
（１）ＭＳ測定
分取液をフローインジェクションにより質量分析装置に導入した。
【００５２】
その結果、質量数（Ｍ／Ｚ）＝１６９を検出した。
【００５３】
（２）ＬＣ−ＭＳ測定
分取液をＯＤＳカラムに通し、ｐＨ７の２．５ｍＭ／ＬのＤＢＡＡ水溶液を使用して、実施例２と同様にグラジエント分析を行い、ＵＶ検出器を通した後、質量分析装置に導入した。
【００５４】
その結果、リテンションタイム１８．２７分にピークを検出し、その質量数（Ｍ／Ｚ）は１６９であった。
【００５５】
ついで、ｐＨ３．５の２．５ｍＭ／ＬのＤＢＡＡ水溶液を用いて分取液を分析した。その結果、リテンションタイム２０．２２分にピークを検出した。すなわち、ｐＨを変えると、ｐＨ７の方がリテンションタイムが短くなることが分かった。
【００５６】
（３）飛行時間型二次イオン質量分析法（ＴＯＦ−ＳＩＭＳ：Ｔｉｍｅ　ｏｆ　Ｆｌｉｇｈｔ　ｓｅｃｏｎｄａｒｙ　Ｉｏｎ　Ｍａｓｓ　Ｓｐｅｃｔｒｏｍｅｔｒｙ）
分取液２μＬをＳｉウエハ上に滴下し、風乾後、ＴＯＦ−ＳＩＭＳでネガティブ測定を行った。
【００５７】
その結果、質量数１６９はピーク強度が非常に小さいものの、検出され、その精密質量数は、１６９．１２１９であることが分かった。この値から組成演算を行うとＣ１０Ｈ１７Ｏ２が得られた。
【００５８】
ここで検出される成分は、分子の質量数から一個の水素を差し引いたものであることから、分子の組成式は、Ｃ１０Ｈ１８Ｏ２であると推定できる。また、赤外分析より、この物質は、３３００〜３０００ｃｍ−１および１７４０ｃｍ−１付近にケトン、エステルの吸収よりも強い吸収を持つことから、カルボン酸であると推定できた。すなわち、リテンションタイムから推定されるとおり、モノカルボン酸であることが判明した。
【００５９】
このように、本発明は、電子機器部品の信頼性試験、プリント基板障害分析等において有用性が期待できる。
【００６０】
【表１】
2004085227.tif 000002
【００６１】
【表２】
2004085227.tif 000003
【００６２】
【表３】
2004085227.tif 000004
【００６３】
【表４】
2004085227.tif 000005
【００６４】
なお、上記に開示した内容から、下記の付記に示した発明が導き出せる。
【００６５】
（付記１）　液中のカルボン酸の判定方法において、
分配クロマトグラフィを利用し、
第１のｐＨ領域にｐＨ調節してなる第１の移動相用水性液体を使用した場合の当該液のサンプルのクロマトグラムのリテンションタイムと、第１のｐＨ領域より酸性側の第２のｐＨ領域にｐＨ調節してなる第２の移動相用水性液体を使用した場合の当該液のサンプルのクロマトグラムのリテンションタイムとを比較することを含むカルボン酸の判定方法。
【００６６】
（付記２）　液中のカルボン酸の判定方法において、
移動相用水性液体と移動相用有機液体とを使用するグラジエント分析法による分配クロマトグラフィを利用し、
第１のｐＨ領域にｐＨ調節してなる第１の移動相用水性液体を使用した場合の当該液のサンプルのクロマトグラムのリテンションタイムと、第１のｐＨ領域より酸性側の第２のｐＨ領域にｐＨ調節してなる第２の移動相用水性液体を使用した場合の当該液のサンプルのクロマトグラムのリテンションタイムとを比較することを含むカルボン酸の判定方法。
【００６７】
（付記３）　前記第１の移動相用水性液体と前記第２の移動相用水性液体とが、ともにジ−ｎ−ブチルアンモニウムアセテートを含有する水溶液である、付記２に記載のカルボン酸の判定方法。
【００６８】
（付記４）　前記第２の移動相用水性液体が、ジ−ｎ−ブチルアンモニウムアセテートと酢酸とを含有する水溶液である、付記３に記載のカルボン酸の判定方法。
【００６９】
（付記５）　前記移動相用有機液体がメタノールである、付記２〜４のいずれかに記載のカルボン酸の判定方法。
【００７０】
（付記６）　移動相における前記移動相用水性液体と前記移動相用有機液体との供給比率を、液のサンプル注入以前の移動相については、体積比で８５〜９５：１５〜５とし、液のサンプル注入以後の移動相については、所定のタイミングで、移動相用有機液体の供給比率を上げていくようにする、付記２〜５のいずれかに記載のカルボン酸の判定方法。
【００７１】
（付記７）　移動相における前記移動相用水性液体と前記移動相用有機液体との供給比率を、液のサンプル注入以前の移動相については、体積比で８８〜９２：１２〜８とし、液のサンプル注入以後の移動相については、所定のタイミングで、移動相用有機液体の供給比率を上げていくようにする、付記２〜５のいずれかに記載のカルボン酸の判定方法。
【００７２】
（付記８）　前記液がモノカルボン酸とジカルボン酸との内の少なくともいずれかを含む、付記１〜７のいずれかに記載のカルボン酸の判定方法。
【００７３】
（付記９）　第１のｐＨ領域がｐＨ７〜８の範囲にあり、第２のｐＨ領域がｐＨ３〜４の範囲にある、付記１〜８のいずれかに記載のカルボン酸の判定方法。
【００７４】
（付記１０）　前記第１の移動相用水性液体を使用した場合のクロマトグラムのリテンションタイムの方が前記第２の移動相用水性液体を使用した場合のクロマトグラムのリテンションタイムより短くなるピークをモノカルボン酸のピーク、長くなるピークをジカルボン酸のピークと判定する、付記９に記載のカルボン酸の判定方法。
【００７５】
（付記１１）　前記二つのリテンションタイムに該当する分取サンプルを質量分析することを含む、付記１〜１０のいずれかに記載のカルボン酸の判定方法。
【００７６】
（付記１２）　水を加えることによりｐＨ３〜４のｐＨ領域を有する分配クロマトグラフィの移動相用液体を調製することができる、ジ−ｎ−ブチルアンモニウムアセテートとカルボン酸とを含有する水溶液よりなる分配クロマトグラフィの移動相用液体。
【００７７】
（付記１３）　水を加えることによりｐＨ３〜４のｐＨ領域を有する分配クロマトグラフィの移動相用液体を調製することができる、ジ−ｎ−ブチルアンモニウムアセテートと酢酸とを含有する水溶液よりなる分配クロマトグラフィの移動相用液体。
【００７８】
【発明の効果】
未知のピークがカルボン酸のピークであるかどうか、カルボン酸である場合には、１分子中にいくつのカルボキシル基が含まれているか、カルボン酸の構造は具体的にどのようなものであるか等の判定が容易にできる技術を提供できる。
【図面の簡単な説明】
【図１】ＬＣのリテンションタイムとｐＨとの関係を示す図である。
【図２】プリント基板抽出液をイオンクロマトグラフィで分析した結果を示すグラフである。
【図１】
2004085227.tif 000006
【図２】
2004085227.tif 000007